(57)【要約】【課題】  意図せずに持ち出されるのを確実に防止し、高いセキュリティ性の確保を可能とする。【解決手段】  物品を包装して包装品（商品）３２を形成するときに用いる包装材料３４には、交番磁界が与えられることによりパルス状の応答信号を発する磁性線材３８と、磁性線材が交番磁界に対して応答信号を発しないようにできる磁性帯４０が埋め込まれ、また、この磁性線材と磁性帯に重ねてバーコードが形成されており、磁性線材を取り外すときには、包装材料を破かなければならないようにして、包装品が不正に持ち出されてしまうのを防止できるようにしている。【選択図】        図３
2006264727.tif 000002
【特許請求の範囲】
【請求項１】
交番磁界が与えられることによりパルス状の応答信号を発する第１の磁性材料が所定部位に埋め込まれている包装材料によって、物品を包装していることを特徴とする包装品。
【請求項２】
前記第１の磁性材料よりも保磁力の高い第２の磁性材料によって第１の磁性材料が被覆されて前記包装材料に埋め込まれていることを特徴とする請求項１に記載の包装品。
【請求項３】
前記第１の磁性材料が埋め込まれている前記包装材料上の部位に、前記物品を特定するコードが形成されていることを特徴とする請求項１又は請求項２に記載の包装品。
【請求項４】
前記第１の磁性材料を、外径が３０μｍ以下で所定長さの細線状に形成していることを特徴とする請求項１から請求項３の何れか１項に記載の包装品。
【請求項５】
保磁力の異なる２種類の磁性体のうち保磁力の低い第１の磁性体を、保磁力の高い第２の磁性体によって被覆されて埋め込まれている包装材料によって物品を包装している包装品ないし、前記第１及び第２の磁性材料が外装に埋め込まれている物品の搬出検査システムであって、
前記包装品ないし物品の搬出口に設けられて、前記包装品ないし物品の通過時に交番磁界を印加し、該交番磁界に対する前記第１の磁性材料の発する応答信号を検知する検知手段と、
前記検知手段が前記応答信号を検知したことを報知する報知手段と、
前記第２の磁性材料を着磁することにより前記交番磁界に対する前記第1の磁性材料が応答信号を消去可能とする消磁手段と、
前記消磁手段と一体で設けられて、前記消磁手段によって着磁された前記第２の磁性材料を消磁することにより前記交番磁界に対して前記第１の磁性材料を応答可能とする着磁手段と、
前記消磁手段と前記着磁手段の作動を切換える切換え手段と、
を含むことを特徴とする搬出検査システム。
【請求項６】
前記第１及び前記第２の磁性材料に重ねて、前記包装品ないし物品を特定可能とするコードが記録されると共に、前記包装品ないし物品の搬出時にコード読取り手段によって該コードの読取りが行われるときに、
前記コード読取り手段と一体に前記消磁手段、前記着磁手段及び前記切換え手段が設けられえていることを特徴とする請求項５に記載の搬出検査システム。
【請求項７】
前記コード読取り手段による前記コード読取り時に前記消磁手段が作動することを特徴とする請求項６に記載の搬出検査システム。
【請求項８】
前記消磁手段と一体に、交番磁界を印加して該交番磁界に対する前記第１の磁性材料の発する応答信号を検知して、前記消磁手段による消磁がなされているか否かを確認する確認用検知手段を含むことを特徴とする請求項５から請求項７の何れか１項に記載の搬出検査システム。
【発明の詳細な説明】
【技術分野】
【０００１】
本発明は、物品を包装した包装品及び、搬出される物品ないし包装品を検査する搬出検査システムに関する。
【背景技術】
【０００２】
陳列している商品や、展示している物品を意図せずに持ち出されてしまうのを防止する方法としては、ＩＣタグを用いる方法や、特定周波数の電波に共振するＬＣ発振回路などを用いる方法一般的であり、これらを用いた防犯システムが各種提案され実施されている。
【０００３】
一方、ＩＣタグやＬＣ共振回路が比較的目立ち易いことから、透明フィルムの一方の面にコイルを形成すると共に、透明フィルムを挟んで対で設けた電極によってコンデンサを形成することにより、目立ち難いＬＣ発振回路を形成するようにした提案がなされている（例えば、特許文献１参照。）。
【０００４】
また、万引き防止ワイヤとする磁性ワイヤを一定間隔で用紙に漉き込むことにより、万引き防止用のワイヤが目立てしまうのを防止すると共に、商品から取り外されてしまうことがないようにした提案がなされている（例えば、特許文献２参照。）。
【０００５】
一方、商品販売においては、ＰＯＳ（Point  of  Sales）システムが一般化しており、商品に貼付されている商品識別用バーコードを、バーコードリーダによって読み込むことにより、商品管理と共に、商品代金の集計や清算が容易となるようにしている。
【０００６】
このようなＰＯＳシステムに対応する自動清算システムとして、バーコードラベルに磁性細線と制御用磁性体を埋め込んでおくと共に、バーコードリーダに制御用磁性体を着磁する磁界発生器を取り付けておくことにより、清算の済んでいない商品を持ち出そうとしたときに、退出用ゲートで検知されるようにする提案がなされている（特許文献３参照。）。
【０００７】
しかしながら、バーコード読取り時に、制御用磁性体を着磁させてしまうと、清算途中で商品を返品しようとしても、バーコードに付加しているセキュリティ機能が損なわれた状態となってしまい、そのまま、商品を戻してしまうことができなくなるという問題が生じる。すなわち、バーコードリーダによってバーコードが読取られた商品が戻されると、セキュリティゲートで検知できない商品が陳列されてしまうことになってしまい、意図せずに持ち出されてしまう可能性が高くなると共に、返品されるべき商品が持ち出し可能となってしまう。
【特許文献１】特開２００３−３６４８５号公報
【特許文献２】特開２００２−３１７３９８号公報
【特許文献３】特開平９−２７０８８号公報
【発明の開示】
【発明が解決しようとする課題】
【０００８】
本発明は上記事実に鑑みてなされたものであり、意図せずに持ち出されるのを確実に防止することができる物品を包装した包装品及び、操作が容易で、高いセキュリティ性の確保が可能な搬出検査システムを提案することを目的とする。
【課題を解決するための手段】
【０００９】
上記目的を達成するための本発明の包装品は、交番磁界が与えられることによりパルス状の応答信号を発する第１の磁性材料が所定部位に埋め込まれている包装材料によって、物品を包装していることを特徴とする。
【００１０】
この発明によれば、包装材料に第１の磁性材料を埋め込んでおり、これにより、包装品から第１の磁性材料を取り外すことができないようにしている。
【００１１】
このような本発明においては、前記第１の磁性材料よりも保磁力の高い第２の磁性材料によって第１の磁性材料が被覆されて前記包装材料に埋め込まれていることが好ましく、また、前記第１の磁性材料が埋め込まれている前記包装材料上の部位に、前記物品を特定するコードが形成されていることがより好ましい。
【００１２】
さらに、本発明では、通常は紙厚８０μｍから１００μｍ程度の紙を用いるので、前記第１の磁性材料を、外径が３０μｍ以下で所定長さの細線状に形成することがより好ましく、これにより、包装材料に予め埋め込んでいる第１の磁性材料が目立つの防止できると共に、包装材料の表面に凹凸を生じさせることがないので、バーコードなどの形成が容易となるのみならず、この外径以下の磁性材料を用いれば、紙の生産工程で予め磁性材料を紙パルプまたは原紙に組み入れられ、コスト的に他の方法に比べて安価にかつ大量に生産できる特徴を持つ。紙厚が上記以上であるとき、より太い磁性材料を用いることができるが、大量生産が難しく、紙が生産された後、磁性材料を挿入するなどの余分な工程や、これに伴うコストが発生するが、検知が容易となる。
【００１３】
また、本発明の搬出検査システムは、保磁力の異なる２種類の磁性体のうち保磁力の低い第１の磁性体を、保磁力の高い第２の磁性体によって被覆されて埋め込まれている包装材料によって物品を包装している包装品ないし、前記第１及び第２の磁性材料が外装に埋め込まれている物品の搬出検査システムであって、前記包装品ないし物品の搬出口に設けられて、前記包装品ないし物品の通過時に交番磁界を印加し、該交番磁界に対する前記第１の磁性材料の発する応答信号を検知する検知手段と、前記検知手段が前記応答信号を検知したことを報知する報知手段と、前記第２の磁性材料を着磁することにより前記交番磁界に対する前記第1の磁性材料が応答信号を消去可能とする消磁手段と、前記消磁手段と一体で設けられて、前記消磁手段によって着磁された前記第２の磁性材料を消磁することにより前記交番磁界に対して前記第１の磁性材料を応答可能とする着磁手段と、前記消磁手段と前記着磁手段の作動を切換える切換え手段と、を含むことを特徴とする。
【００１４】
この発明によれば、第１の磁性材料が消磁されているか否かによって包装品や物品が不正に持ち出されてしまうのを防止するときに、消磁手段と共に着磁手段を一体で設け、第１の磁性材料が検知手段によって検知されないようにする消磁と共に、第１の磁性材料が検知手段に検知されるようにする着磁の何れも可能となるようにしている。
【００１５】
これにより、搬出しようとした包装品や物品を戻す操作を簡単に行うことができる。
【００１６】
また、本発明は、前記第１及び前記第２の磁性材料に重ねて、前記包装品ないし物品を特定可能とするコードが記録されると共に、前記包装品ないし物品の搬出時にコード読取り手段によって該コードの読取りが行われるときに、前記コード読取り手段と一体に前記消磁手段、前記着磁手段及び前記切換え手段が設けられえていることを特徴とする。
【００１７】
この発明によれば、バーコードの読取りを行うときに消磁を可能とすると共に、着磁が可能となるようにしている。これにより、消磁した包装品や物品を戻すときの作業を円滑に行うことができる。
【００１８】
このような本発明においては、前記コード読取り手段による前記コード読取り時に前記消磁手段が作動することが好ましく、また、前記消磁手段と一体に、交番磁界を印加して該交番磁界に対する前記第１の磁性材料の発する応答信号を検知して、前記消磁手段による消磁がなされているか否かを確認する確認用検知手段を含むことができる。
【発明の効果】
【００１９】
以上説明したように本発明によれば、本発明によれば、包装品や物品に対して不正に持ち出されるのを確実に防止することができると共に、返品などに対する処理が極めて容易となるという優れた効果が得られる。
【発明を実施するための最良の形態】
【００２０】
以下に、図面を参照しながら本発明の実施の形態を説明する。図１には、本実施の形態に係る搬出検査システム１０の概略構成を示している。この搬出検査システム１０は、操作部１２、ゲートアンテナ１４、警告灯１６及び、これらの作動を制御するコントローラ１８を含んで構成されている。なお、操作部１２、ゲートアンテナ１４及び警告灯１６は、任意の数だけ設けることができるが、ここでは、一例として１ユニットずつを示している。
【００２１】
本実施の形態では、搬出検査の一例としてスーパーマーケット内などの店舗内に陳列している商品を、顧客が購入して持ち出すときに、不正な持ち出しの有無を検査する。すなわち、商品代金が支払われていない商品などが不正に持ち出される、所謂万引きなどが発生しないようにする防犯システムとなっている。
【００２２】
図２には、搬出検査システム１０が設けられるスーパーなどの店内２０の要部を示している。この店内２０には、レジカウンター２２に、ＰＯＳシステム２４のレジ端末２６が設けられており、顧客は店内２０の希望の商品を、このレジカウンター２２に持ち込んで、商品代金の清算を行うようになっている。
【００２３】
レジ端末２６には、ハンディタイプのバーコードリーダ２８が設けられており、店員は、顧客がレジカウンタ２２に持ち込んだ商品に添付されているバーコードを、このバーコードリーダ２８によって読取ることにより、商品代金の集計を行う。また、顧客は、集計された商品代金を支払うことにより、持ち帰り（持ち出し）が可能となっている。
【００２４】
なお、レジカウンター２２には、埋め込み式のバーコードリーダ２８Ａが設けられ、このバーコードリーダー２８Ａによって商品のバーコードを読取ることも可能となっており、以下では、これらを総称してバーコードリーダ２８として説明する。また、このようなＰＯＳシステム２４は、従来公知の構成を適用でき、本実施の形態は、説明を省略する。
【００２５】
この店内２０には、搬出口となる顧客の出口にセキュリティゲート３０が設けられており、顧客は、このセキュリティゲート３０を通過して、店外に出られるようになっている。なお、セキュリティゲート３０は、顧客が店外に出る時に必ず通過するものであれば、特にゲートを設けないなどの任意の構成を適用できるが、ここでは、明瞭に示すために門構えを形成している。
【００２６】
搬出検査システム１０では、ゲートアンテナ１４及び警告灯１６がセキュリティゲート３０に設けられており、搬出検査システム１０では、不正に持ち出されそうな商品をゲートアンテナ１４で検知されると、警告灯１６が点灯ないし点滅して店員に報知するようになっている。なお、報知方法は、これに限らず、アラームや音声などで行うようにしても良く、また、予め設定している場所に設けているディスプレイなどに表示するようにしても良く、また、これらを併せた報知手段を構成したものであっても良い。
【００２７】
ここで、先ず、本実施の形態で、搬出検査システム１０で検査対象としている店内の商品を説明する。図３（Ａ）には、商品の一例とする包装品３２の概略を示している。この包装品３２は、包装材料３４を箱体形状に形成して内部に物品が収容されている。
【００２８】
この梱包品３２には、内部の品物を特定するバーコード３６が、外面の所定位置に形成されており、このバーコード３６が、バーコードリーダ２８で読取られるようになっている。
【００２９】
一方、図３（Ｂ）に示すように、包装材料３４内には、第１の磁性材料となる磁性線材３８と、第２の磁性材料となる帯板状の磁性帯４０が所定位置に埋め込まれている。この磁性線材３８及び磁性帯４０の埋め込み位置は、バーコード３６が形成される位置となっている。すなわち、包装材料３４では、磁性線材３８と磁性帯４０に重ねて印刷されるなどしてバーコード３６が形成されている。
【００３０】
磁性線材３８としては、例えば、磁性材料によって形成されており、任意の線径及び長さで形成することができるが、紙を用いた包装材料３４に埋め込むときには、紙厚にもよるが、紙厚が８０μｍ程度であるときには、３０μｍ以下であることが好ましく、これにより、磁性線材３８が包装材料３４の表面に凹凸を生じさせてしまうのを防止して、磁性線材３８が埋め込まれているのを認識できないようにすることができる。
【００３１】
また、磁性線材３８は、バルクハウゼン効果を用いて検知可能な外径及び長さであれば良く、バーコード３６から大きく飛び出さない範囲であれば任意の長さを適用でき、磁性線材３８に必要な長さは、磁性線材３８の外径に応じて、外径が大きいときには、外径が小さいときに比べて短くすることが可能である。
【００３２】
さらに、磁性線材３８は、バルクハウゼン効果を用いて検知するために、Co−Fe−Ni−Ｂ−Siからなるアモルファスシリコンなど、保磁力が比較的低い任意の磁性材料を用いることができる。
【００３３】
また、磁性帯４０は、磁性線材３８を覆う大きさであれば良く、磁性材料を帯板状に形成したものであっても良く、磁性線材３８を包むように略円筒状に形成したものであっても良い。
【００３４】
また、磁性帯４０は、磁性線材３８より保磁力の高い磁性材料を用いて形成している。すなわち、保磁力の異なる磁性材料を用いて、磁性線材３８と磁性帯４０を形成している。
【００３５】
このような磁性線材３８と磁性帯４０は、例えば、保磁力の低い磁性線状材料に、保持力の高い粉体状の磁性材料を載せるか覆うようにして形成することができる。
【００３６】
保磁力の低い磁性線材３８は、ヒシテリシスループが略矩形状となっており、例えば、図４（Ａ）に示す如き交番磁界が加えられることにより、急峻な急峻な磁化反転が生じる。磁性線材３８は、交番磁界が与えられることにより、図３（Ｂ）に示すように、磁化反転ポイントＨＰで磁化反転を生じるとき、パルス状の応答信号を発生する。
【００３７】
この応答信号を検知することにより、磁性線材３８が梱包材３４に埋め込まれていると判断することができる。
【００３８】
これに対して、保磁力の高い磁性帯４０は、強磁界を与えることにより着磁し、磁性線材３８にバイアス磁界を与える。磁性帯４０が着磁して磁性線材３８に所定のバイアス磁界を与えている状態で、交番磁界を与えると、交番磁界による磁性線材３８の磁化反転が生じないようにすることができる。
【００３９】
すなわち、バイアス磁界によって交番磁界がシフトされることより、磁性線材３８に加えられる交番磁界が、磁性線材の磁化反転ポイントＨＰ又は−ＨＰから外れることにより、磁性線材３８に磁化反転が生じなくなり、磁化反転にによる応答信号が発生されなくなる（以下、これを磁性線材３８の消磁とする）。
【００４０】
これにより、交番磁界を与えたときに、包装材料３４に埋め込んでいる磁性線材３８が検知されなくなる。
【００４１】
また、磁性帯４０は、例えば、保磁している磁気と逆向きの強磁界を与えるなど、所定の磁界を与えることにより消磁される。これにより、磁性線材３８のバイアス磁界が除かれることにより、磁性線材３８は、交番磁界に対する応答信号を発するようになる（以下、これを磁性線材３８の着磁とする）。
【００４２】
これにより、磁性線材３８が埋め込まれている梱包材３４に交番磁界を与えることにより、この交番磁界に対して磁性線材３８が応答信号を発し、包装材料３４に埋め込まれている磁性線材３８の検知が可能となる。
【００４３】
一方、包装材料３４としては、紙、ポリアミド系合成繊維、ビニール、ポリプロピレンなどの樹脂材、アルミニウム箔などの金属材料を用いることができ、これにより、包装品３２としては、箱状であっても良く、また、物品をラッピングしたものであっても良く、さらには、瓶詰め、缶などであっても良い。
【００４４】
包装材料３４として紙を用いるときには、磁性線材３８及び磁性帯４０を包装材料３４内に漉き込むようにすればよい。また、包装材料３４としては、紙や樹脂シート、アルミ箔等の金属シートを重ねたものであっても良く、このときには、２枚のシートの間に磁性線材３８と磁性体４０を挟みこんで、２枚のシートを貼着するなどして埋め込むことができる。
【００４５】
また、包装品３２としてとしてアルミ缶などの金属缶を用いるときには、磁性線材３８及び磁性帯４０の融点が低い包装材料３４（例えばアルミニウム）を用い、鋳型内に磁性線材３８及び磁性帯４０を入れておいた状態でアルミニウムを流し込んで成形すれば良い。
【００４６】
さらに、ペットボトルなどに対しては、ペットボトル自体に磁性線材３８と磁性帯４０を埋め込むようにしても良いが、ペットボトルを包んでいる樹脂性のシートやフィルムに磁性線材３８及び磁性帯４０を埋め込むことがより好ましい。
【００４７】
また、磁性線材３８と磁性帯４０の厚み（外径）は、磁性帯４０として粉体を用いることにより、略、磁性線材３８の外径とみなすことができ、これにより包装材料３４の表面に凹凸が生じることがない。したがって、プリンタ等の印刷装置を用いて、包装材料３４にバーコード３６などを容易に印刷するなどして形成することができる。
【００４８】
なお、以下では、包装品３２など、磁性線材３８と磁性帯４０に重ねてバーコード３６が形成される物品を総称して商品３２とする。
【００４９】
一方、図１に示すように、ゲートアンテナ１４は、検知手段として設けられており、コントローラ１８から供給される電力（交流電力）によって交番磁界を発する励磁コイル４２と、励磁コイル４２によっと発せられる交番磁界に対して、磁性線材３８が発するパルス状の応答信号を検知する検知コイル４４を含んでいる。すなわち、検知コイル４４には、交番磁界に応じた電流が誘起されると共に、磁性線材３８が発するパルス状の応答信号に応じた電流が誘起される。
【００５０】
コントローラ１８は、検知コイル４４に誘起された電流から、交番磁界の周期に応じた低周波成分を除去することにより、磁性線材３８の発する応答信号の有無を判定するようになっている。
【００５１】
コントローラ１８は、所定のタイミングでゲートアンテナ１４を作動させる。このときに、コントローラ１８は、励磁コイル４２で電力を供給して、検知コイル４４が応答信号を検知したか否かを確認する。なお、ゲートアンテナ１４の作動タイミングは、セキュリティゲート３０が開いているときに、常に作動状態であっても良く、また、光センサなどを用いて顧客等の通過タイミングを検知して作動するものであっても良い。
【００５２】
コントローラ１８は、ゲートアンテナ１４を作動させているときに、検知コイル４４が応答信号を検知すると、警告等１６を点灯ないし点滅させて、商品３２が意図しない状態でセキュリティゲート３０を通過していることを報知するようにしている。
【００５３】
一方、操作部１２には、消磁コイル４６、着磁コイル４８、アンテナユニット５０及び選択スイッチ５２を含んでいる。
【００５４】
アンテナユニット５０は、コントローラ１８から供給される電力によって交番磁界を発する励磁コイル５４と共に、交番磁界によって磁性線材３８が発する応答信号に応じた電流が誘起される検知コイル５６が設けられており、コントローラ１８は、この操作部１２に設けられているアンテナユニット５０を用いて、磁性線材３８が着磁されているか否かの検知が可能となっている。なお、検知結果は、操作部１２にＬＣＤなどの表示手段を設けて表示するようにしても良い。
【００５５】
消磁コイル４６及び着磁コイル４８は、所定強度の電界を発するようになっている。また、消磁コイル４６の発する磁界と着磁コイル４８の発する磁界は、相反する方向となっている。
【００５６】
これにより、操作部１２では、磁性帯４０すなわち商品３２のバーコード３６が対向しているときに、消磁コイル１４６を作動することにより、磁性帯４０を着磁させ、磁性線材３８にバイアス磁界が与えられるようにして、磁性線材３８の消磁を行う。
【００５７】
また、操作部１２では、着磁されている磁性帯４０が対向している状態で、着磁コイル４８を作動することにより、磁性帯４０の消磁を行って、磁性線材３８が交番磁界によって応答信号を発することができる着磁状態に戻すことができる。
【００５８】
この消磁コイル４６、着磁コイル４８及びアンテナユニット５０の作動は、選択スイッチ５２の操作によって切換えられるが、通常は、消磁コイル４６が作動可能となっている。
【００５９】
一方、この操作部１２は、ＰＯＳシステム２４のバーコードリーダ２８に一体で設けられている。図５には、バーコードリーダ２８の要部の概略構成を示している。
【００６０】
このバーコードリーダ２８には、所定波長の光を発する投光部と、投光部から発した光の反射光を受光する受光部が一体となった測定部５８が設けられており、この測定部５８をバーコード３６（図５では図示省略）に対向することにより、バーコード３６の読取りが可能となっている。
【００６１】
また、バーコードリーダ２８には、測定部５８の周囲に、コイルユニット６０が配置されており、測定部５８をバーコード３６に対向させることにより、コイルユニット６０もバーコード３８に対向可能となっている。
【００６２】
コイルユニット６０には、図示は省略するが、前記した消磁コイル４６、着磁コイル４８と共にアンテナユニット５０（励磁コイル５４と検知コイル５６）が設けられている。なお、各コイルの配置は任意で良く、また、図５では、ハンディタイプのバーコードリーダ２８を例示しているが、レジカウンタ２２に設けているバーコードリーダ２８Ａにおいても、コイルユニット６０が、バーコード３６の読取り時に、バーコード３６に対向するように設けられている。
【００６３】
搬出検査システム１０では、前記した如く、通常、選択スイッチ５２によって消磁コイル４６が作動可能な状態となっており、バーコードリーダ２８でのバーコード３６の読取りに連動して、消磁コイル４６が作動するようになっている。
【００６４】
これにより、搬出検査システム１０では、商品３２のバーコード３６を読取るときに、バーコード３６が重ねられている磁性線材３８に対する消磁がなされるようになっている。
【００６５】
また、搬出検査システム１０では、バーコードリーダ２８の測定部５８をバーコード３６に対向させた状態で、選択スイッチ５２を操作して着磁コイル４８の作動を選択することにより、磁性線材３８の着磁を行うことができ、また、アンテナユニット５０の作動を選択することにより、磁性線材３８が着磁されているか否かの確認が可能となっている。
【００６６】
このように構成されている搬出検査システム１０が設けられている店舗（店内２０）では、埋め込まれている磁性線材３８と磁性帯４０に重ねてバーコード３６が形成されている包装材料３４によって包装された包装品などの商品３２が店内２２に陳列されており、店舗を利用する顧客は、所望の商品３２を持って、レジカウンタ２２へ移動し、清算を行う。
【００６７】
レジカウンタ２２では、店員がバーコードリーダ２８によって商品３２に形成されているバーコード３６を読取ることにより、購入品をＰＯＳシステム２４に入力すると共に、購入代金の集計を行い、集計された代金を清算することにより、該当商品が顧客に渡される。
【００６８】
ところで、店内２２の商品３２は、磁性線材３８と磁性帯４０が包装材料３４又は外装に埋め込まれ、さらに、磁性線材３８と磁性帯４０に重ねて、バーコード３６が形成されており、また、バーコードリーダ２８には、搬出検査システム１０の操作部１２が設けられている。
【００６９】
また、操作部１２では、バーコードリーダ２８によってバーコード３６の読取りが行われると、消磁コイル４６が作動するようになっている。これにより、商品３２の包装材料３４や外装に埋め込まれている磁性線材３８が消磁されようになっている。
【００７０】
このとき、バーコードリーダ２８が、商品３２に対して所定の間隔で操作されるので、消磁コイル４８なども磁性線材３８に対して適正な間隔となるようにすることができ、的確な操作が可能となっている。
【００７１】
一方、店舗には、顧客の出口にセキュリティゲート３０が設けられており、このセキュリティゲート３０にゲートアンテナ１４が設けられている。搬出検査システム１０では、ゲートアンテナ１４の励磁コイル４２から交番磁界を発生させ、この交番磁界に対して商品３２に設けている磁性線材３８が発する応答信号を検知している。
【００７２】
ここで、バーコードリーダ２８によってバーコード３６が読取られた商品３２は、消磁コイル４６が作動することにより、磁性線材３８の消磁がなされる。このために、清算の終了した商品３２がセキュリティゲート３０を通過するときには、ゲートアンテナ１４で磁性線材３８が検知されないことになる。
【００７３】
これに対して、レジカウンタ２２を通過せず、清算が終了していない商品３２では、磁性線材３８の消磁がなされていない。このために、この商品３２が、セキュリティゲート３０を通るときに、ゲートアンテナ１４の励磁コイル４２が発する交番磁界に対して、商品３２内の磁性線材３８が応答信号を発し、この応答信号が検知コイル４４に検知される。
【００７４】
これにより、警告灯１６の点灯などによって未清算の商品３２が持ち出されようとされていることが報知される。したがって、未清算の商品３２が店内２２から持ち出されるのを確実に防止することができる。
【００７５】
また、磁性線材３８を商品３２から取り除くことにより、該当商品３２は、セキュリティゲート３０のゲートアンテナ１４で検知されずに通過可能となるが、この商品３２では、包装材料３４内に磁性線材３８を埋め込んでおり、この磁性線材３８を取り外すためには、商品３２を開封したり、包装材料３４を破かなければならなくなる。
【００７６】
これにより、商品３２から磁性線材３８を取り除くことが実質的に困難となっている。したがって、包装材料３４又は外装に磁性線材３８を埋め込んだ商品３２と、搬出検査システム１０を用いることにより、未清算の商品３２が店内２２から不正に持ち出されてしまうのを確実に防止することができる。
【００７７】
一方、バーコード３８がバーコードリーダ２８によって読取られた後であって清算前である商品３２や、清算後の商品３２が顧客から戻されることがある。このようなときに、該当商品３２は、磁性線材３８が消磁されているいるので、そのまま店内２２に戻すと、ゲートアンテナ１４に検知されずに持ち出すことができる。
【００７８】
ここから、バーコードリーダ２８には、着磁コイル４８が設けられており、バーコードリーダ２８を、返品される商品３２のバーコード３８に対向させた状態で、選択スイッチ５２を操作して、着磁コイル４８を作動させる。
【００７９】
磁性線材３８の消磁は、磁性帯４０を着磁してバイアス磁界を形成することにより行われ、着磁コイル４８は、磁性帯４０を消磁する。これにより、バイアス磁界が消えるので、磁性線材３８が、交番磁界に対する応答信号を発する着磁状態となる。
【００８０】
このようにして、磁性線材３８の着磁を行うことにより、返却された商品３２であっても、不正に持ち出そうとしたときに、ゲートアンテナ１４に検知されるようになる。
【００８１】
このように、搬出検査システム１０では、バーコードリーダ２８に着磁コイル４８を設け、簡単に磁性線材３８が有効になるようにできるので、磁性線材３８を消磁した商品３２が返品されても、簡単に返品を受け付けることができる。
【００８２】
また、搬出検査システム１０では、バーコードリーダ２８に、アンテナユニット５０を設けており、選択スイッチ５２の操作によってアンテナユニット５０を作動させることができる。
【００８３】
これにより、バーコードリーダ２８によって磁性線材３８が着磁状態か消磁状態であるかを確認することができるので、磁性線材３８を着磁させた商品３２を顧客に渡してしまうのを防止できると共に、消磁された状態の商品３２を店内２２に戻してしまうのを確実に防止することができる。
【００８４】
このように、搬出検査システム１０では、店内２２の商品３２が不正に持ち出されてしまうのを確実に防止しながら、返品された商品３２に対する的確な処理を簡単な操作で行うことができる。
【００８５】
なお、ここでは、店舗に搬出検査システム１０を設けて説明したが、本発明の搬出検査システムの利用方法はこれに限るものではない。例えば、倉庫内に保管している包装品に対する不正な持ち出し防止に用いることができる。
【００８６】
また、倉庫などに限らず、図書館などでの図書に対する搬出検査になどにも適用することができる。
【００８７】
このときには、例えば、図６に示すように、図書６２の背表紙、表表紙、裏表紙などの外装紙に、磁性材料３８と磁性帯４０を埋め込んでおき、さらに、該磁性材料に重なるように図書コード６４などを形成しておく。すなわち、図書６２の外装紙の所定位置に磁性線材３８と磁性帯４０を埋め込んでおくと共に、磁性線材３８と磁性帯４０に重ねて図書コード６４を形成しておき、図書６２の貸し出し時や返却時に、図書コード６４をバーコードリーダなどのコードリーダによって読み込むようにする。
【００８８】
このときのコードリーダには、前記したバーコードリーダ２８と同様に、操作部１２を一体に設けておき、貸し出し時には、コード読込みに合わせて磁性線材３８の消磁が行われるようにし、返却時に、コードリーダによって返却される図書６２の図書コード６４を読み込むときに、磁性線材３８の着磁を行うようにする。
【００８９】
これにより、貸し出しの認可を受けていない図書６２がゲートアンテナ１４を設けている搬出口を通過するときに、この図書６２を的確に検知することができる。また、図書６２の外装に磁性線材３８を埋め込んでおくので、磁性線材３８が図書６２から外されることがない。
【００９０】
したがって、図書６２が不正に持ち出されてしまうのを確実に防止することができる。
【００９１】
なお、以上説明した本実施の形態では、本発明の構成を限定するものではない。例えば、本実施の形態では、操作部１２をＰＯＳシステム２４のバーコードリーダ２８に設けて説明したが、操作部１２のみを、搬出管理システム１０の専用の携帯操作端末として設けるようにしても良い。
【００９２】
また、本実施の形態では、操作部１２に励磁コイル５４と検知コイル５６によって構成されるアンテナユニット５０を設けて、商品３２の磁性線材３８が着磁されているか消磁されているかを検知可能としたが、操作１２としては、少なくとも消磁コイル４６と共に着磁コイル４８が設けられているものであればよく、これにより、磁性線材３８を消磁した後に、該当商品の返却要求がなされても、該当要求に迅速に対応することが可能となる。
【００９３】
さらに、本発明の搬出検査システムは、搬出検査システム１０に限らず任意の構成を適用することができる。
【図面の簡単な説明】
【００９４】
【図１】本実施の形態に適用した搬出検査システムの概略構成図である。
【図２】搬出検査システムが設けられる店内の一例を示す概略図である。
【図３】（Ａ）は包装品（商品）の一例を示す概略図、（Ｂ）は包装品に設けるバーコード、磁性線材及び磁性帯の配置を示す概略図である。
【図４】（Ａ）は交番磁界の概略を示す線図、（Ｂ）は（Ａ）の交番磁界に対する磁性線材の応答信号の概略を示す線図である。
【図５】バーコードリーダの一例を示す要部の概略図である。
【図６】本発明の他の適用例とする図書を示す概略図である。
【符号の説明】
【００９５】
１０    搬出検査システム
１２    操作部
１４    ゲートアンテナ（検知手段）
１６    警告灯
１８    コントローラ
２８    バーコードリーダ
３２    商品（包装品、物品）
３４    包装材料
３６    バーコード
３８    磁性線材（第１の磁性材料）
４０    磁性帯（第２の磁性材料）
４６    消磁コイル（消磁手段）
４８    着磁コイル（着磁手段）
５０    アンテナユニット（確認用検知手段）
５２    選択スイッチ（切換え手段）
６２    図書（物品）
６４    図書コード
【図１】
2006264727.tif 000003
【図２】
2006264727.tif 000004
【図３】
2006264727.tif 000005
【図４】
2006264727.tif 000006
【図５】
2006264727.tif 000007
【図６】
2006264727.tif 000008